(57)【特許請求の範囲】
【請求項１】
抽斗部（２）の下側に固定され、縦方向に引き出し可能である抽斗引出ガイド（３）のレール（５）に、抽斗部（２）を解放可能に連結させる連結装置（７）であって、
前記レール（５）前端部に位置する対応保持部（１３）に対して、解放可能な接続を提供する保持部（９）と、
前記抽斗部（２）を、前記抽斗引出ガイド（３）のレール（５）に解放可能に掛け留めする掛留部（８）と、
前記掛留部（８）に対して可動であり、前記レール（５）に対する連結を解除する解除部（１７）と、を含んで構成され、
該解除部（１７）は、一端部に立設された回動軸（Ｓ）に枢支され、該解除部（１７）を、前記回動軸（Ｓ）を中心に手で押すことにより、前記掛留部（８）を前記レール（５）から開放可能であり、
前記対応保持部（１３）と接触する少なくとも前記保持部（９）の領域（１２）は、屈変形材料部で成る弾性屈変形領域（１２）を設けることで圧力を受けると屈変形する特性を有していることにより、前記レール（５）と、前記抽斗部（２）との間に発生する遊びを少なくとも部分的に解消させることを特徴とする装置。
【請求項２】
保持部（９）は、少なくとも１つのアバットメント（１１）を有しており、
該アバットメントは、本連結装置（７）が連結状態の場合には、屈変形材料部を介してレール（５）の前端またはレール（５）のエッジと接触状態であることを特徴とする請求項１記載の装置。
【請求項３】
アバットメント（１１）は、本連結装置（７）の受領スロット（１０）の底部に設置されていることを特徴とする請求項２記載の装置。
【請求項４】
掛留部（８）は、スプリング式あるいはスプリングで作動し、抽斗引出ガイド（３）のレール（５）の開口部に掛留可能であることを特徴とする請求項１から３のいずれかに記載の装置。
【請求項５】
掛留部（８）は、少なくとも１つのアバットメント面（８ａ、８ｂ、８ｃ）を有しており、
該アバットメント面は、レール（５）の開口部のエッジを押圧することができることを特徴とする請求項４記載の装置。
【請求項６】
アバットメント面を複数有し、複数のアバットメント面（８ａ、８ｂ、８ｃ）は、抽斗部（２）の引き出し方向において、互いに距離を隔てて配置されていることを特徴とする請求項５記載の装置。
【請求項７】
解除部（１７）は、回動レバーまたは可曲レバーにより形成されることを特徴とする請求項１から６のいずれかに記載の装置。
【請求項８】
取り付け状態において、本連結装置（７）は、抽斗底部（２ｃ）の下側で、抽斗部（２）の該抽斗底部（２ｃ）の前端に横方向に設置されていることを特徴とする請求項１から７のいずれかに記載の装置。
【請求項９】
解放可能な相互接続を提供する保持部（９）の領域と、対応保持部（１３）の領域とは、レール（５）の縦方向に対して横方向に設置されていることを特徴とする請求項１から８のいずれかに記載の装置。
【請求項１０】
屈変形材料部は、弾性的に屈曲変形するプラスチック材料で形成されることを特徴とする請求項１から９のいずれかに記載の装置。
【請求項１１】
屈変形材料部は、ゴム系弾性材料であることを特徴とする請求項１から１０のいずれかに記載の装置。
【発明の詳細な説明】
【技術分野】
【０００１】
本発明は、抽斗の案内ガイドである引出ガイド（以下、「抽斗引出ガイド」と略称する。）を縦方向に引き出すことができるレールに抽斗部を解放式に連結する装置に関する。この連結装置は、解放（解除）可能な接続をするために、対応保持部と連結状態で協調する保持部を含んでいる。
【０００２】
本発明は、抽斗部を引出ガイドのレールに解放可能に連結することができる、本発明による装置を備えた抽斗部にも関する。
【背景技術】
【０００３】
従来からこの種の連結装置は知られている。
【０００４】
例えば、抽斗部の清掃の目的で、抽斗部を抽斗引出ガイドから全体的に引き抜いたり、作業後に抽斗部を再度押し入れ可能とするように、このような連結装置を介して抽斗部を全体的に抽斗引出ガイドへ押し込んだり、抽斗引出ガイドから引き抜いたりすることが可能であった。この場合には、抽斗引出ガイドは、家具に前もって取り付けられており、抽斗部は、引出レールに自動的に掛留めされるまで（家具内の抽斗閉端位置にまで）引出ガイドの方向に押し入れられる。
【０００５】
このような抽斗構造の例は、本願出願人の特許文献１と、特許文献２において開示されている。この場合、掛留めは、複数の掛止具部分によって実現され、それらの移動アバットメント面（接合面）は、連続的にレールの開口部内に掛留めされ、抽斗部が押し込まれる際に抽斗部と引出ガイドとの間の隙間が安定的（確実）に減少して徐々に掛留めが完成する。
【０００６】
一般的には、連結状態である抽斗部が引出レールに固定状態に接続され、引出ガイドのレールに対して実質的に遊びが存在せず、通常の利用形態において、抽斗部の操作時にレールに対して相対移動しないことが望ましい。このような相対移動は、抽斗部の操作の快適性および利便性に悪影響を及ぼすであろう。
【０００７】
抽斗部を抽斗引出ガイドのレールに解放可能に接続させるため、弾力性を有した掛留フックまたは掛留歯部を有した連結装置は、例えば、特許文献３および特許文献４において開示されている。
【先行技術文献】
【特許文献】
【０００８】
【特許文献１】欧州特許第０４２１４５８Ｂ１号明細書
【特許文献２】西独国実用新案出願公開２０２００７００６５４９Ｕ１号明細書
【特許文献３】西独国実用新案出願公開９４０９８９９Ｕ１号明細書
【特許文献４】西独国実用新案出願公開９３１４８９３Ｕ１号明細書
【発明の概要】
【発明が解決しようとする課題】
【０００９】
従って、本発明の一目的は、抽斗部を引出ガイドのレールに実質的に遊びなく接続させる前述タイプの装置を提供することにある。
【課題を解決するための手段】
【００１０】
本発明によれば、上記の目的は、抽斗部の下側に固定され、縦方向に引き出し可能である抽斗引出ガイドのレールに、抽斗部を解放可能に連結させる装置であって、
前記レール前端部に位置する対応保持部に対して、解放可能な接続を提供する保持部と、
前記抽斗部を、前記抽斗引出ガイドのレールに解放可能に掛け留めする掛留部と、
前記掛留部に対して可動であり、前記レールに対する連結を解除する解除部と、を含んで構成され、
該解除部は、一端部に立設された回動軸に枢支され、該解除部を、前記回動軸を中心に手で押すことにより、前記掛留部を前記レールから開放可能であり、
前記対応保持部と接触する少なくとも前記保持部の領域は、屈変形材料部で成る弾性屈変形領域を設けることで圧力を受けると屈変形する特性を有していることにより、前記レールと、前記抽斗部との間に発生する遊びを少なくとも部分的に解消させることを特徴とする装置とすることで本発明の目的が達成される。
特に、対応保持部と接触する保持部の領域が弾性屈変形特性（ここで「屈変形」とは、押圧により弾性的に屈曲変形することをいう。以下同様。）を有することで達成される。すなわち、弾性屈変形材料部をその領域に取り付けることで接触領域を弾性的に屈変形させ、抽斗部で発生するであろうレールとの奥行き方向の遊びをなくすことで本発明の目的が達成される。
【００１１】
従って、本発明は、弾性的に屈変形する領域が、保持部と対応保持部との両領域間で機能（抽斗部とレールとの間で解放可能な接続を提供）を発揮するという基本的な概念に基づいている。この弾性屈変形領域は、保持部と対応保持部との間でクッション（緩衝手段）として機能する。このような緩衝手段の利用によって、抽斗部とレールとの間の間隙に対する効果的な対処が可能である。よって、レールと抽斗部との間の奥行き方向の遊びは、適切に対処され、抽斗部は、引出ガイドのレールに対して遊びがない状態で接続される。
【００１２】
弾性屈変形領域を保持部または対応保持部のいずれか一方に与えることは可能である。保持部及び／又は対応保持部との屈変形領域の一体的形成も可能である。この点で、構造的に単純な形態では、緩衝効果を与えるために、弾性屈変形プラスチック材料（好適には、ゴム弾性材料）で成る別体の屈変形部を与えることが可能である。
【００１３】
本発明の一好適実施態様では、保持部を抽斗部に固定される連結装置と関連させ、対応保持部をレールと関連させることができる。この点で、連結装置を、抽斗部の底部の下側で、抽斗部の底部の前端にて横方向に取り付けるのが望ましい。この場合、取り付け時に、レールと関連するアバットメント(abutment)が抽斗部の移動を制限するまで、抽斗部を抽斗引出ガイドのレールに押し込むことができる。このアバットメントは、公知の方法でレールの後端に設置される。このアバットメントは、抽斗部の後壁に設けられている開口部を通過することができるピンを有する。従って、レールの後端に設置されたアバットメントは、抽斗部をその後端で固定し、前端は、連結装置によってレールの前端に連結できる。好適には、連結装置の連結状態において屈変形材料部を介してレールの前端あるいはレールのエッジと接触状態となる少なくとも１つのアバットメントを保持部が有する。本発明の一実施態様では、アバットメントは、連結装置の受領スロットの底部あるいはレールに設置される。受領スロットは、レールに対して連結装置（および抽斗部）の特に横方向に安定した保持を実現する。本発明の一好適実施態様では、抽斗部とレールとが連結した状態で、屈変形材料部は、連結装置のアバットメントとレールの前端（好適には前端面）との間に設けられる。
【００１４】
工具を使用せずに抽斗部を取り付けたり取り外したりするために、連結装置は、少なくとも１つのスプリング（バネ）式掛留部か、あるいはスプリングによって作動し、好適には、抽斗引出ガイドのレールの開口部に掛け留め可能である少なくとも１つの掛留部を有することができる。この点で、開口部のエッジと接触できる少なくとも１つ、好適には、複数のアバットメント面を有することが望ましい。この点で、好適には、アバットメント面は、抽斗部の引き出し方向に相互移動関係にて設置される。抽斗部の引き出し方向に移動するアバットメント面は、レール上への掛留部の順番掛留係合が可能になり、抽斗部と引出ガイドとの間の遊びも減少させることができる。
【００１５】
本発明の一実施態様では、掛留部は、解除部によって可動状態になり、掛留装置の連結状態が解除可能になる。連結を解除させるため、解除部を回動レバーまたは可曲レバーで形成することが可能である。掛留部とのこのような連結装置は、従来から多くの形態で知られている。よって、これ以上、連結装置を詳細に解説する必要はないであろう。
【００１６】
保持部を抽斗引出ガイドと関連付け、対応保持部を抽斗部と関連付けることができる。
【００１７】
本発明の抽斗部は、前述の特徴を備えた連結装置を有する。
【００１８】
本発明のさらなる詳細と利点は、添付図面を利用して以下において解説されている。
【図面の簡単な説明】
【００１９】
【図１】図１は、全体的に抽斗引出ガイドに装着され、そこから取り外すことができる複数の抽斗部を備えた家具の斜視図である。
【図２】図２は、抽斗引出ガイドに取り付けられた抽斗部の斜視図である。
【図３ａ】図３ａは、抽斗部の下側図である。
【図３ｂ】図３ｂは、抽斗部の円内の構造の拡大詳細図である。
【図４ａ】図４ａは、取り付け状態にある抽斗部の下側図である。
【図４ｂ】図４ｂは、取り付け状態にある抽斗部の円内の構造の拡大詳細図である。
【図５ａ】図５ａは、取り付け状態にある連結装置を備えた引出ガイドの下面図である。
【図５ｂ】図５ｂは、取り付け状態にある連結装置を備えた引出ガイドの円内の構造の拡大詳細図である。
【図６ａ】図６ａは、連結装置および円内の構造の拡大詳細図である。
【図６ｂ】図６ｂは、連結装置および円内の構造の拡大詳細図である。
【図６ｃ】図６ｃは、連結装置および円内の構造の拡大詳細図である。
【図６ｄ】図６ｄは、連結装置および円内の構造の拡大詳細図である。
【図７ａ】図７ａは、抽斗引出ガイド上に取り付け状態にある抽斗部の背面の斜視図である。
【図７ｂ】図７ｂは、抽斗引出ガイド上に取り付け状態にある抽斗部の円内の構造の拡大斜視図である。
【発明を実施するための形態】
【００２０】
【実施例１】
【００２１】
図１は、抽斗引出ガイド３によって家具枠体に対して移動できる複数の抽斗部２を有した家具１の斜視図である。抽斗引出ガイド３は、家具枠体に取り付けられた枠体レール４と、枠体レール４に対して移動でき、以下で説明する連結装置によって抽斗部２に接続できる少なくとも１本のレール５とを含む。２つの抽斗引出ガイド３がそれぞれの抽斗部２とそれぞれ関係しており、家具枠体の両側壁に前もって取り付けられている。抽斗部２は、工具を使用せずに可動レール５に取り付け、および取り外しが可能である。よって、抽斗部２を抽斗引出ガイド３から完全に取り外すことができる。
【００２２】
図２は、抽斗引出ガイド３に連結された抽斗部２の斜視図である。抽斗部２は、前面パネル２ａ、両側壁２ｂ、抽斗底部２ｃおよび抽斗後壁２ｄを含む。さらに、静止家具枠体レール４と、枠体レール４に対して相対的に移動できるレール５とが図示されている。引き出し可能なレール５の後端には、好適には、高さ調整式であり、抽斗部２が取り付けられた状態では、抽斗後壁２ｄの開口部に設置されているピン６を有したアバットメントが与えられている。ピン６は、調節ホイール１５によって高さ調節ができ、よって、抽斗引出ガイド３のレール５に対する抽斗部２の傾斜（角度）（および間隙）が調節できる。抽斗部２を取り付けるとき、抽斗部２は、抽斗閉端位置にあるレール５に向かって抽斗後壁２ｄに設けられた開口部にピン６が通過し、後端アバットメントを提供するまで押し入れられる。抽斗部２の前部領域は、以下で説明する連結装置によって引き出し可能なレール５の前端に連結される。
【００２３】
図３ａは、抽斗部２の下面を示す。前面パネル２ａに隣接して、抽斗底部２ｃの下面には、抽斗部２を抽斗引出ガイド３のレール５（ここでは図示せず）に解放可能に連結している連結装置７が取り付けられている。連結装置７は、取り付け時に自動的にレール５に掛留めされる弾性またはバネ式の掛留部８を含む。掛留作用を解除するために、連結装置７とレール５との間の連結が解除できるように、手動で操作できる回動レバーの形態で解除部１７が設けられている。
【００２４】
図３ｂは、図３ａの円内領域の拡大図である。連結装置７は、受領スロット１０を有したＵ形状の保持部９を含む。その底部には、レール５のアバットメント１１が設置されている。抽斗部２を取り付けるとき、可動レール５の前端（図示の実施例では、対応保持部）は、レール５のエッジまたはアバットメント面で階段形状に構成されたアバットメント面８ａ、８ｂ、８ｃに掛留部８が自動的に掛留められるまで受領スロット１０内に導入される。取り付けられた状態で、アバットメント面８ａ、８ｂ、８ｃは、横断方向（好適には、直交方向）でレール５の縦方向に延伸する。レール５の奥行き方向に移動するアバットメント面８ａ、８ｂ、８ｃは、抽斗部２とレール５との間で遊びを徐々に減少させながら抽斗部２の徐々の掛留を提供する。１つのアバットメント面８ａのみを有した掛留部８も可能である。重要なことは、この実施例では、プラスチック製の屈変形材料部で成る弾性屈変形領域１２の存在である。この領域１２は、図面では受領スロット１０に設けられており、屈変形しないアバットメント１１（抽斗部２が取り付け状態であるとき）は、この弾性屈変形領域１２によってレール５の対応保持部（ここでは図示せず）と接触する。
【００２５】
図４ａは、レール５への抽斗部２の取り付け状態を図示する抽斗の下側図である。レール５が移動式に取り付けられている状態で、家具枠体に固定された枠体レール４が図示されている。レール５へ解放可能に連結させる連結装置７は、前面パネル２ａに隣接して抽斗底部２ｃの下側に固定されている。掛留部８は、図３ｂで示すアバットメント面８ａ、８ｂおよび８ｃの１つによってレール５の開口部において係留される。係留作用を解除するために回動レバーの形態である解除部１７が設けられており、掛留部８は、レール５に対して解放可能となっている。
【００２６】
図４ｂは、図４ａの円内領域の拡大図である。抽斗底部２ｃに固定された連結装置７の
剛質アバットメント１１と、レール５の剛質対応保持部１３との間に設置された弾性屈変
形領域１２が図示されている。アバットメント１１と、レール５の対応保持部１３との間
の緩衝部として作用するこの屈変形領域１２は、間隙を埋めることができ、抽斗部２は、
抽斗引出ガイド３の移動レール５に対して遊びが存在しない位置関係で接続できる。この
係留作用を解除するため、解除部１７は、図示の矢印Ｘ方向に、回動軸Ｓ周囲を回るように手で押されると掛留部８がレール５の開口部から外され、抽斗部２は、例えば掃除や保守の目的で抽斗引出ガイド３から完全に取り外される。
【００２７】
図５ａも、連結装置７で連結状態である抽斗引出ガイド３の下側図である。明瞭に図示するために抽斗部２は、省略されている。延伸（移動）可能な抽斗レール５に掛留められた掛留部８が図示されており、掛留部８は、解除部１７の作動によって解放される。
【００２８】
図５ｂは、連結された連結装置７の拡大詳細図である。引き抜き可能なレール５の前端を受領する受領スロット１０が設けられている。受領スロット１０の底部に設けられたアバットメント１１は、保持部を形成する。保持部は、取り付け状態では、屈変形領域１２によってレール５の対応保持部１３と接触する。図示の実施例の弾性屈変形領域１２は、ゴム弾性材料で成る別体のプラスチック部の形態である。弾性領域１２をアバットメント１１と一体型とすることや、レール５の対応保持部１３の一部の形態とすることも可能である。
【００２９】
図６ａは、抽斗底部２ｃに固定された連結装置７の斜視図である。移動したアバットメント面８ａ、８ｂ、８ｃを備えた可動掛留部８が図示されている。抽斗部２の取り付け時に、レール５の前端は、連結装置７の受領スロット１０に導入される。そこでは、屈変形領域１２は、発生する間隙を埋める目的でも設けられている。
【００３０】
図６ｂは、連結装置７の拡大詳細図である。アバットメント１１の緩衝のために弾性屈変形領域１２が設けられている受領スロット１０が図示されている。
【００３１】
図６ｃは、連結装置７の下方からの斜視図である。連結装置７は、抽斗底部２ｃの下側に図示の平坦側で固定されている。掛留部８に作用する弾性部１４も図示されている。
【００３２】
図６ｄは、図６ｃの円内領域の拡大詳細図である。弾性領域１２のゴム弾性材料によって緩衝される剛質アバットメント１１が図示されている。
【００３３】
図７ａは、抽斗部２の抽斗後壁２ｄの領域を示す。レール５に対する抽斗部２の後部固定は、取り付け状態では、抽斗後壁２ｄの開口部に受領されている水平状態のピン６によって可能になる。抽斗後壁２ｄが寄り掛かる後部アバットメント１６が図示されている。この後部の剛質アバットメント１６は、家具１の奥行き方向で抽斗部２の移動を制限する。ピン６は、調節ホイール１５によって高さが調節でき、抽斗部２の傾斜（角度）は、調整が可能である。
【００３４】
図７ｂは、図７ａの円内領域の拡大図である。
【００３５】
本発明は、例示した上記の実施例に限定されず、「請求の範囲」に記載した発明の範囲内の技術的均等物を含むものである。上方、下方、横、等々の明細書の位置を示す用語は、添付図面に関するものであり、適宜変更して解釈されるべきものである。
【図１】
0005643193.tif 000002
【図２】
0005643193.tif 000003
【図３ａ】
0005643193.tif 000004
【図３ｂ】
0005643193.tif 000005
【図４ａ】
0005643193.tif 000006
【図４ｂ】
0005643193.tif 000007
【図５ａ】
0005643193.tif 000008
【図５ｂ】
0005643193.tif 000009
【図６ａ】
0005643193.tif 000010
【図６ｂ】
0005643193.tif 000011
【図６ｃ】
0005643193.tif 000012
【図６ｄ】
0005643193.tif 000013
【図７ａ】
0005643193.tif 000014
【図７ｂ】
0005643193.tif 000015